(57)【要約】【課題】水槽の内部に空気を送り続けなくても、平面シート状に形成された蓋の上面に雨水が溜まることを防止することができる折り畳み可能な蓋付き水槽を提供する。【解決手段】弾性変形可能な外周壁２と底部シート３とを備えた折り畳み可能な水槽本体部４と、蓋体５とからなり、外周壁２は、ファスナー２７一側部を備え、蓋体５は、水槽本体部４の上端開口部を覆う平面シート状の覆い部２４と、覆い部２４の外周２５に接続されたファスナー２７他側部とを備えている。【選択図】図１
2014210609.tif 000002
【特許請求の範囲】
【請求項１】
弾性変形可能な外周壁と底部とを備えた折り畳み可能な水槽本体部と、蓋体とからなり、
前記外周壁は、ファスナー一側部を備え、
前記蓋体は、水槽本体部の上端開口部を覆う平面シート状の覆い部と、覆い部の外周に接続されたファスナー他側部とを備えた蓋付き水槽。
【請求項２】
前記外周壁は、弾性変形可能な壁板を備えた請求項１に記載の蓋付き水槽。
【請求項３】
前記壁板は、厚さが１０ｍｍ〜１００ｍｍの発泡樹脂板である請求項２に記載の蓋付き水槽。
【請求項４】
前記外周壁は、弾性変形可能な壁板と複数枚の壁板が個別に収容された収容部が設けられた壁板収容シートとを備えた請求項１〜３のいずれか一項に記載の蓋付き水槽。
【請求項５】
前記収容部は、壁板を出し入れ可能な開口部を備える請求項４に記載の蓋付き水槽。
【請求項６】
前記外周壁は、複数枚の壁板が直立した状態で互いに周方向に隣接して配置され平面視が多角形の外周を形成する請求項１〜５のいずれか一項に記載の蓋付き水槽。
【請求項７】
前記外周壁は、弾性変形可能な壁板を備え、周方向に隣接する壁板同士の間に仕切り部を備え、前記仕切り部の幅が、壁板の厚みの２倍〜１０倍であり、隣り合う２つの壁板間に、他の壁板２枚分を挟みながら折り畳み可能である請求項１〜６のいずれか一項に記載の蓋付き水槽。
【請求項８】
請求項１〜７のいずれか一項に記載の蓋付き水槽の使用方法であって、
蓋付き水槽の内部に気体を充填する工程と、ファスナーを閉鎖する工程とを含み、蓋体をドーム形状に膨張させた状態とする蓋付き水槽の使用方法。
【発明の詳細な説明】
【技術分野】
【０００１】
本発明は、内部に水を貯蔵する蓋付き水槽に関する。
【背景技術】
【０００２】
地面上などに設置される大略樹脂シート製の簡易水槽として、従来、水槽の周囲壁が複数のパネルで構成され、パネルの内側に防水シートが貼られた折り畳み可能な簡易水槽があった。
【０００３】
特許文献１には、鉄筋コンクリート製の水処理槽の周囲壁の上端に上面カバーの周縁がボルト止めされた、水処理槽のカバー装置が記載されている。上面カバーはテント地を用いて立体的なドーム型に縫製されている。水槽に蓄えられた水の曝気を行うために、水槽の底面側から被処理水中に空気が送られ、水中に送られた空気は水面から放散される。カバーは水面から放散される空気の圧力を受けて、縫製されたドーム型の形状に膨らみ、カバーに降った雨水はカバーの上面に溜まることなくカバーの外面に沿って流れ落ちる。
【先行技術文献】
【特許文献】
【０００４】
【特許文献１】実開昭６０−１７９３８７号公報
【発明の概要】
【発明が解決しようとする課題】
【０００５】
従来の簡易水槽では、折り畳んで収納するためにターポリン製のシートにて形成された蓋を設けると、蓋が自重によって撓んで蓋の上面に雨水が溜まるという問題があった。そこで、雨水が溜まる問題を解決するために、別途設けられた支柱や架台によって蓋の中央部を吊り上げた構成が提案された。
【０００６】
しかし、蓋を吊り上げるために支柱や架台が必要となるので、コンパクトに収納して運搬することが難しい。さらに、直径が２ｍ以上の水槽では、蓋の中央部を吊り上げていても水槽の周囲壁に沿った蓋の外周部に雨水が溜まり、溜まった雨水の重みで周囲壁が内側に撓んで水槽が変形するという問題があった。
【０００７】
特許文献１に記載の水処理槽のカバー装置では、水槽の内部に空気を送り続けなければならず、簡易水槽として用いることが難しい。さらにカバーを立体縫製するためにコスト高となる。
【０００８】
本発明の目的は、水槽の内部に空気を送り続けなくても、平面シート状に形成された蓋の上面に雨水が溜まることを防止することができる折り畳み可能な蓋付き水槽を提供することである。
【課題を解決するための手段】
【０００９】
請求項１に記載の発明は、弾性変形可能な外周壁と底部とを備えた折り畳み可能な水槽本体部と、蓋体とからなり、前記外周壁は、ファスナー一側部を備え、前記蓋体は、水槽本体部の上端開口部を覆う平面シート状の覆い部と、覆い部の外周に接続されたファスナー他側部とを備えた蓋付き水槽である。
【００１０】
請求項２に記載の発明は、前記外周壁が弾性変形可能な壁板を備えた蓋付き水槽である。
請求項３に記載の発明は、前記壁板の厚さが１０ｍｍ〜１００ｍｍの発泡樹脂板である蓋付き水槽である。
【００１１】
請求項４に記載の発明は、前記外周壁が弾性変形可能な壁板と複数枚の壁板が個別に収容された収容部が設けられた壁板収容シートとを備えた蓋付き水槽である。
請求項５に記載の発明は、前記収容部が壁板を出し入れ可能な開口部を備える蓋付き水槽である。
【００１２】
請求項６に記載の発明は、前記外周壁が、複数枚の壁板が直立した状態で互いに周方向に隣接して配置され平面視が多角形の外周を形成する蓋付き水槽である。
請求項７に記載の発明は、前記外周壁が弾性変形可能な壁板を備え、周方向に隣接する壁板同士の間に仕切り部を備え、前記仕切り部の幅が、壁板の厚みの２倍〜１０倍であり、隣り合う２つの壁板間に、他の壁板２枚分を挟みながら折り畳み可能な蓋付き水槽である。
【００１３】
請求項８に記載の発明は、請求項１〜７のいずれか一項に記載の蓋付き水槽の使用方法であって、蓋付き水槽の内部に気体を充填する工程と、ファスナーを閉鎖する工程とを含み、蓋体をドーム形状に膨張させた状態とする蓋付き水槽の使用方法である。
【発明の効果】
【００１４】
請求項１の発明によれば、蓋付き水槽の内部に空気が充填されると、平面状の覆い部は、その中心が上部へ持ち上がりながらドーム状に膨らみ、外周が内側に引き寄せられる。覆い部の外周に接続されたファスナーの他側部は、外周壁に接続されているので、外周壁が蓋体に覆われた状態で内側に引っ張られ、外周壁の上端は弾性変形して内側に円弧状に曲がる。これによって、蓋体をドーム状にすることができ、覆い部の周縁部が弛んで雨水が溜まることを効果的に防止できる。すなわち覆い部はその中央部がドーム形になるとともに、その周縁部の弛みが防止されるため、雨水を覆い部２４の周縁部から、円弧状に曲がった外周壁に沿って流下させることができる。
【図面の簡単な説明】
【００１５】
【図１】本発明の一実施形態に係る空気を充填した蓋付き水槽の斜視図である。
【図２】同空気を充填した蓋付き水槽を裏面側から見た斜視図である。
【図３】同空気が充填されていない状態の蓋付き水槽を裏面側から見た斜視図である。
【図４】同空気が充填されていない状態の蓋付き水槽の横断面図である。
【図５】同空気が充填されていない状態の蓋付き水槽の縦断面図である。
【図６】同蓋体が開けられた蓋付き水槽の斜視図である。
【図７】同空気が充填された状態の蓋付き水槽の断面図である。
【図８】外周壁をエアチューブで構成した本発明一形態の縦断面図である。
【図９】外周壁をエアマットで構成した本発明一形態の縦断面図である。
【発明を実施するための形態】
【００１６】
以下、本発明の一実施の形態について図１〜図７に基づいて説明する。蓋付き水槽１は、筒状に立ち上がった外周壁２と、外周壁２の下端部を水密状態で覆う底部シート３とを備えた水槽本体部４を備えるとともに、外周壁２の上端開口部を開閉可能に覆う蓋体５を備えている。
【００１７】
（外周壁）
外周壁２は、弾性変形可能であれば、その材料は特に限定されないが、後述する防水シートを備えることが好ましい。ここで、弾性変形可能とは、外力を受けて変形し、外力を取り除くと元の形状に戻ることをいう。好ましくは、可撓性を有することをいう。具体的には、蓋付き水槽１の内部に気体を充填すると、蓋体５の膨張に追随して、少なくとも上端が変形し、好ましくは蓋付き水槽１の中心方向へ曲がり、気体の充填を解くと、元の状態（例えば、直立した状態）に戻ることができることをいう。
【００１８】
本発明の蓋付き水槽１は、外周壁２が弾性変形可能であるため、蓋付き水槽１の内部に気体を充填すると、蓋体５が持ち上がるのに追随して、外周壁２が、蓋付き水槽１の中心方向へ曲がり、蓋付き水槽１の内部に充填された気体の圧力により、蓋体５はより大きくドーム状に膨張する。本発明によると、外周壁２が弾性変形するので、蓋体５は、その伸張性に関係なくドーム状に膨張する。
【００１９】
外周壁２は、その平面視が円形、楕円形、または多角形であってもよい。なかでも、外周壁２は、平面視が４〜２０の多角形であることが好ましく、６〜１２の多角形であることがより好ましい。ここで、平面視とは、蓋付き水槽１を蓋体５側から底部を見たときの外周壁２の形状（すなわち、図４に示す筒状部８の形状）をいう。角数が４以上であると、蓋付き水槽１の内部に気体を充填して蓋体５を膨張させたときに、外周壁２の上部が内側へ円弧状に曲がりやすく、蓋体５がドーム形状になりやすい。また、角数が２０以下であると、折り畳み作業が容易である。
【００２０】
なお、多角形の角数は、偶数であることが好ましい。角数が偶数であると、後述するように隣り合う２つの壁板７の間に２枚分の壁板７を挟みながら折り畳むことができる。
外周壁２は、空気を内部空間に充填することで膨張する空気膜構造を用いることができる。空気膜構造は、エアマット、エアチューブ、エアビームなどであることが好ましい。外周壁２が空気膜構造であると、折り畳みが容易であり、軽量であるため持ち運びやすい。
【００２１】
（壁板）
外周壁２は、複数枚の弾性変形可能な壁板７を備えることが好ましく、複数枚の壁板７が直立した状態で互いに周方向に隣接して配置されることがより好ましい。壁板７を備えた蓋付き水槽１は、蓋付き水槽１の内部に水が入っていない状態でも自立するので、貯水作業が容易となる。
【００２２】
壁板７は、弾性変形可能な材料を用いることができ、例えば、木板、金属板、または樹脂板を用いることができる。あるいは、壁板７は、エアマットであってもよい。なかでも、壁板７は、軽量性の観点から発泡樹脂板を用いることが好ましく、発泡ポリエチレン板を用いることがより好ましい。
【００２３】
外周壁２が、壁板７を備える場合、壁板７は、外周壁２の平面視多角形の各辺を形成してもよい。
壁板７は、その厚さが１０ｍｍ〜１００ｍｍであることが好ましく、厚さが２０ｍｍ〜６０ｍｍであることがより好ましい。壁板７の厚さが１０ｍｍ以上であると、壁板７が弾性変形して内側に円弧状に曲がった後に、応力が解除されたとき、元の直立した形状に復元しやすい。さらに、外部からの衝撃により壁板７が破損しにくい。また、壁板の厚さが１００ｍｍ以下であると、蓋付き水槽１の内部に気体を充填したときに壁板７が弾性変形して内側に曲がりやすい。
【００２４】
（収容部）
外周壁２は、壁板収容シート６と壁板収容シート６に収容される壁板７とを備えていることが好ましく、壁板７を収容する袋状の収容部９を備えていることがより好ましい。壁板７は、壁板収容シート６に収容されていると、蓋付き水槽１の外部または蓋付き水槽１の内部から衝撃を受けても傷付きにくく、破損しにくい。さらに、防水性の乏しい壁板７を用いた場合にも、壁板収容シート６により防水性を得ることができる。
【００２５】
収容部９は、外周壁２の内面を形成する内面シート１０，外周壁２の外面を形成する外面シート１１の上部及び下部をそれぞれ溶着することにより形成してもよく、または、内面シート１０，外面シート１１，上面を形成する上面シート１２および下面を形成する下面シート１３により形成されてよい。
【００２６】
収容部９は、壁板７を出し入れ可能な開口部１６を備えることが好ましく、内面シート１０、外面シート１１、上面シート１２または下面シート１３の少なくとも一箇所に壁板７を出し入れ可能な開口部１６が設けられていることがより好ましい。収容部９の少なくとも一箇所から、壁板７が出し入れ可能であると、壁板７が損傷した場合に、壁板７を交換することができる。なかでも、収容部９の下面に壁板７を出し入れ可能な開口部１６が設けられていることが好ましい。これは、上面側や内面側に開口部１６を設けると、開口部１６が水の侵入口となるおそれがあり、外面側に開口部１６を設けると、内部に水を入れたときに、外周壁２が周方向に曲がる力により、閉鎖された開口部１６が意図せず開放するおそれがあるためである。
【００２７】
開口部１６は、面状に着脱できる係合手段により固定されていることが好ましく、面ファスナーで固定されていることがより好ましい。収容部９に開口部１６を備える場合、開口部１６は、収容部９に壁板７を収容したうえで、面ファスナーによって閉じられてよい。この場合、雄面ファスナーと雌面ファスナーとのうち一方の面ファスナー２２は下面シート１３の下端に取り付けられ、他方の面ファスナー２３は外面シート１１の下端に取り付けられる。
【００２８】
（仕切部）
外周壁２は、周方向に隣接する壁板７同士の間に仕切部１７を備えることが好ましく、周方向に隣接する収容部９間が仕切部１７によって仕切られていることがより好ましい。仕切部１７は、壁板７が周方向へ移動することを防止する。また、蓋付き水槽１の内部へ水または気体を充填したときに、外周壁２が円形に変形しようとするために発生する応力を軽減し、壁板７が周方向に曲がりすぎて破損することを防止する。
【００２９】
仕切部１７は内面シート１０と外面シート１１とが上下方向に高周波溶着、超音波溶着、熱風溶着、熱コテ溶着、熱板溶着などにより溶着されて形成されてよい。なかでも、シート同士の溶着は、高周波溶着により行うことが好ましい。たとえば、溶着部１８は周方向に隣接して２列設けられてよい。
【００３０】
外周壁２は収容部９に壁板７を収容したまま仕切部１７の位置で折り畳み可能である。外周壁２の折り畳みにともなって、底部シート３も一緒に折り畳み可能である。
仕切部１７は、その幅（周方向の長さ）が、壁板７の厚みの２倍〜１０倍であることが好ましく、壁板７の厚みの３倍〜６倍であることがより好ましい。仕切部１７の幅が、壁板７の厚みの２〜１０倍であると、隣り合う２つの壁板７間に他の壁板７を２枚分挟みながら折り畳むことが可能である。折り畳んだ状態では、仕切部１７は、壁板７の厚み方向に位置する。
【００３１】
例えば、壁板７の厚みが４０ｍｍの場合には、仕切部１７の幅は、８０ｍｍ〜４００ｍｍであることが好ましく、１２０ｍｍ〜２４０ｍｍであることがより好ましく、１５０ｍｍ〜２００ｍｍであることがとくに好ましい。
【００３２】
（蓋体）
蓋体５は、水槽本体部４の上端開口部を覆う平面シート状の覆い部２４と、一側部が覆い部２４の外周２５に接続され他側部が外周壁２に接続されるファスナー２７とを備えている。
【００３３】
覆い部２４を構成する平面シート２９は、外周壁２の外周３０と同じ大きさであることが好ましい。覆い部２４の平面シート２９が外周壁２の外周３０と同じ大きさであると、蓋付き水槽１の内部に気体を充填していない状態において、自重による弛みが生じにくい。なお、同じ大きさとは、覆い部２４と外周壁２の外周３０との面積比が０．９〜１．１倍であることをいう。
【００３４】
ファスナー２７は、水槽本体部４の上端開口部および覆い部２４の周辺の一部又は全周にわたって設けられてよく、水槽本体部４の上端開口部および覆い部２４の周辺の０．５周〜０．９５周にわたって設けられていることが好ましい。ファスナーが０．５周以上にわたって設けられていると、蓋付き水槽１の半周以上を開放することが可能であり、人が水槽本体部４の中に入ることができるため、点検や洗浄作業を行いやすい。また、ファスナー２７が０．９５周以下にわたって設けられていると、蓋体５が水槽本体部４から完全に取り外されることがないので、一側部と他側部との位置合わせ作業が容易となる。
【００３５】
覆い部２４は、外周壁２の平面視の形状と同じ形状であってよく、例えば、外周壁２の平面視が十角形である場合には、覆い部２４も十角形であってよい。この場合、水槽本体部４の上端開口部および覆い部２４に設けられるファスナー２７は、水槽本体部４の上端開口部又は覆い部２４の周辺長さから多角形を構成する１辺の長さを除いた部分に設けられることが好ましい。例えば、外周壁２の平面視が十角形である場合、水槽本体部４の上端開口部および覆い部２４の十角形の辺のうちの１辺は、覆い部２４が外周壁２の上端に溶着され、他の９辺にファスナー２７が設けられている。
【００３６】
ファスナー２７の他側部は、外周壁２の上部外面２６に接続されていることが好ましい。蓋体５と外周壁２とが、外周壁２の上部外面２６において接続されていると、蓋体５をドーム状に膨張させたとき、蓋体５は、外周壁２から少なくとも上端が内側に曲がった状態の外周壁２が直立した状態に戻ろうとする力を受けるので、外周壁２の外面から接続された蓋体５は、とくに覆い部２４の周縁部を効果的に張った状態とすることができる。このため、外周壁２と蓋体５との境目に溝ができることがなく、雨水がたまりにくい。
【００３７】
（ファスナー）
ファスナー２７は、スライドファスナーやレールファスナーなどの線ファスナーや、面ファスナーを用いることができる。なかでも、ファスナー２７は、スライドファスナーであることが好ましい。スライドファスナーを用いると、開閉作業が容易である。
【００３８】
ファスナー２７は、気密性ファスナーであることが好ましい。気密性ファスナーは、蓋付き水槽１の内部に気体を充填してドーム状に膨張させてから、１２時間経過後に、蓋体５が水平よりも上方向に凸の状態を維持する程度の気密性を有していればよい。
【００３９】
気密性ファスナーは、テープ部が防水シートからなるスライドファスナーであることが好ましい。テープ部が防水シートからなる気密性ファスナーは、ファスナーが噛み合わされた状態において、テープ部から気体が漏れ出しにくい。
【００４０】
気密性ファスナーは、一側部と他側部とが、組み合わされた際に、防水性のテープ部が、務歯列同士の間で付き合わされて、又は、拝み手状に圧縮されてなる気密性スライドファスナーであることが好ましい。このような気密性スライドファスナーは、ファスナーが噛み合わされた状態において、務歯列から気体が漏れ出しにくい。
【００４１】
気密スライドファスナーは、たとえばＹＫＫ株式会社製アクアシール（登録商標）、ＹＫＫ株式会社製プロシール（登録商標）が好ましく用いられる。
なお、ファスナー２７は、蓋体５の重量、水槽本体部４の大きさ、ファスナー２７を設ける長さ、ドーム形状の必要保持時間などを考慮して、市販のファスナーのうちから選択してよい。例えば、ドーム形状を保持したい時間が１時間である場合には、ファスナー２７として、通常のファスナーを用いることもできる。
【００４２】
（補強シート）
本発明の蓋付き水槽１は、水槽本体部４の一部または全部を構成する防水シートを二重にしてよい。防水シートを二重にすると、蓋付き水槽１が破断しにくくなる。例えば、外面シート１１の外周面のうち下側半分に、補強シート１９を重ねて溶着してよい。
【００４３】
なお、収容部９に開口部１６を備える場合、開口部１６は、収容部９に壁板７を収容したうえで、面ファスナーなどによって閉じられてよい。この場合、雄面ファスナーと雌面ファスナーとのうち一方の面ファスナー２２は下部シート１３の下端に取り付けられ、他方の面ファスナー２３は外面シート１１の下端に取り付けられる。
【００４４】
（排水ホース）
外周壁２の下部外面には排水ホース３７が連設されてよい。排水ホース３７は仕切部１７の外面下部に高周波溶着されてよい。排水ホース３７は、基端部すなわち仕切部１７への溶着部およびその近傍に折り畳まれ、面ファスナー３９を用いて外周壁２の外面に固定されてよい。
【００４５】
（空気充填口）
蓋付き水槽１の外周壁２の上部または蓋体５には、蓋付き水槽１の内部に空気を充填するために、逆止弁が取り付けられた空気充填口が設けられてよい。空気入れとしては、たとえば手動式ポンプ、足踏み式ポンプ、あるいはコンプレッサなどを用いることができる。なお、蓋付き水槽１は、ファスナー２７を閉鎖する直前まで閉め、わずかに開いた状態とし、この開口から内部へ気体を充填してもよい。
【００４６】
（防水シート）
本発明の外周壁２、収容部９、底部シート３、覆い部２４、および排水ホース３７に用いる防水シートは、例えば、ポリエステル糸、ナイロン糸、オレフィン糸等からなる織編物を、塩化ビニル、エチレン−酢酸ビニル共重合体、ウレタン、ポリエステル系エラストマー等からなる合成樹脂フィルムで挟み込んでなるターポリンを用いることが好ましい。防水シートをターポリンで構成すると、屋外で長時間利用しても、劣化しにくく、キズ付きにくいため、防水シートに穴が空いたり、破断したりすることがない、または少ない。
【００４７】
（使用方法）
本発明者らは、蓋付き水槽１の内部に気体を充填する工程と、ファスナー２７を閉鎖する工程とを含み、蓋体５をドーム形状に膨張させた状態にする蓋付き水槽１の使用方法を見出した。この使用方法を採用すれば、蓋付き水槽１内にゴミや雨水が浸入することを防ぎ、かつ蓋体５に雨水が溜まることがない。
【００４８】
蓋付き水槽１の使用方法において、蓋付き水槽１の内部に気体を充填する工程と、ファスナー２７を閉鎖する工程との順序はいずれが先でもよく、または同時であってもよい。
また、蓋付き水槽１の使用方法において、蓋付き水槽１の内部に気体を充填する工程の前に水槽本体部４に水を貯水しておけば、蓋付き水槽１内の水にゴミや雨水が侵入することを防ぐことができる。なお、蓋付き水槽１は、その内部に水のない状態で、気体を充填し、蓋体５をドーム形状に膨張させた状態とし使用してもよい。
【００４９】
（開閉方法）
図６は蓋体５のファスナー２７が開けられて、蓋体５が開かれた状態を示す。使用者がファスナー２７を開け、外周壁２の上端に溶着された辺２８側に覆い部２４を手繰り寄せると、外周壁２の各辺で形成される開口部を露出させることができるので、蓋付き水槽１の内部を確認するときに覆い部２４が邪魔になることがなく、水槽本体部４に水を注入するときに注入ホースが覆い部２４に接触して覆い部２４を傷つけることを防止することができる。なお、覆い部２４は辺２８の全長に亘って外周壁２の上端に溶着されており、これによって必要な強度を確保することができる。辺２８側に手繰り寄せた覆い部２４は折り畳んで外周壁２の外面に面ファスナーなどで固定することもできる。
【００５０】
蓋付き水槽１の内部に水が蓄えられ、ファスナー２７が再び閉じられた状態では、覆い部２４はその周縁が外周壁２による開口部に当接して平面の状態を保持している。壁板収容シート６の収容部９に収容された壁板７は平面の状態を保って直立しており、収容部９間に位置する仕切部１７は周方向に一定の幅を保持した状態で直立している。
【００５１】
蓋付き水槽１の内部に水面よりも上側に空気が充填されると、蓋体５の覆い部２４は、充填された空気の圧力を受けて上方に凸となるドーム形を形成する。このとき、外周壁２は、蓋体５の下部接続シート３４が溶着されている上部外面２６から上側の部分が蓋体５によって内側に引っ張られ、外周壁２の壁板７は、弾性変形して壁板収容シート６とともに内側に円弧状に曲がる。蓋体５は、充填された空気の圧力に加えて壁板７から弾性力を受けるので、とくに覆い部２４の周縁部を効果的に張った状態とすることができる。これによって、覆い部２４の周縁部が弛んで雨水が溜まることを効果的に防止できる。すなわち覆い部２４はその中央がドーム状になるとともに、その周縁部の弛みが防止されるために、蓋体５に雨水が溜まることを効果的に防止できる。その雨水は、覆い部２４の周縁部から、円弧状に曲がった外周壁２に沿って流下させることができる。このとき壁板収容シート６の収容部９間に位置する仕切部１７の上部４１は、上下方向の皺４２が寄って幅狭となった状態で内側に円弧状に曲がっている。
【００５２】
本発明の蓋付き水槽１は、例えば、内部に１．５Ｐａ〜３０Ｐａの圧力の気体を充填することにより、蓋体５をドーム状に持ち上げることができる。蓋付き水槽１の内部に充填する気体の圧力は、蓋体５の大きさ及び重量により変化するため、ドーム状に膨張していく様子を観察しながら気体を充填し、蓋付き水槽１が破裂しない程度に気体を充填すればよい。
【００５３】
蓋付き水槽１は、蓋体５も含んで折り畳んだ状態で被災地などに運搬して貯水槽として屋外に設置することができる。
次に、本発明の他の実施形態として、外周壁５１，５２が空気膜構造である場合を図８，図９に基づいて説明する。外周壁５１，５２は、上述のとおり、空気を内部空間に充填することで膨張する空気膜構造を用いることができる。なお、空気膜構造は、充填する空気を他の気体や液体に代えたものであってもよい。
【００５４】
空気膜構造を用いた外周壁５１，５２は、蓋付き水槽５３，５４の内部に気体を充填すると、蓋体５５，５６の膨張に追随して、少なくとも外周壁５１，５２の上端の形状が図８または図９のように弾性変形する。
【００５５】
なお、外周壁５１，５２は、少なくともその上端が蓋付き水槽５３，５４の中心方向へ曲がってよく、または、直立した状態のまま、外周壁５１，５２の上端が潰れるように変形してもよい。
【００５６】
外周壁５１，５２が空気膜構造である場合の蓋付き水槽５３，５４の縦断面図を図８及び図９に示す。図８は、複数のエアチューブ５７により外周壁５１が構成された一実施形態を示す。
図９は、必要に応じて渡り５８を設けたエアマット５９により外周壁５２が構成された一実施形態を示す。図８及び図９は、蓋付き水槽５３，５４に気体を充填した状態を示しており、ともに外周壁５１，５２の上端６０，６１が潰れるように変形した様子を示している。なお、６２，６３は底部シートであり、６４，６５は水面であり、６６は給気口である。
【００５７】
（実施例）
外周壁２、収容部９、底部シート３、覆い部２４、および排水ホース３７に用いる防水シートとして、ポリエステル糸織物の両面を、塩化ビニル樹脂フィルムで挟み込んでなるターポリンを用い、壁板７として、厚みが４０ｍｍの発泡ポリエチレン板を用い、気密性ファスナーとして、防水ファスナーとして販売されているＹＫＫ株式会社製アクアシール（登録商標）を用い、これを十角形の水槽本体部４の９辺に設けて、外周壁２が２．５ｍの対角線を有する十角形の蓋付き水槽１を得た。なお、仕切部の幅は１８０ｍｍであった。
【００５８】
次いで、実施例の蓋付き水槽１の内部に水を３０００リットル貯水し、その後、蓋体５が上方に凸となるドーム形状となるまで、空気を充填した。そして、スライドファスナーを閉鎖した状態で、４８時間後の蓋付き水槽１を観察したが、蓋体５は上方に凸となるドーム形状を維持していた。
【００５９】
本実施例および図面の形態において、外周壁２は平面視が十角形のものを用いたが、もちろんこれに限定されるものではなく、たとえば平面視が六角形あるいは八角形のものでもよい。ファスナー２７として気密性ファスナーを用いたが、気密性を備えたものに限らず、開閉可能なファスナーであれば他のものでも良い。
【００６０】
このように、複数枚が直立した状態で互いに周方向に隣接して配置され平面視が多角形の外周を形成する弾性変形可能な壁板７と前記複数枚の壁板７が個別に収容される収容部９が設けられた壁板収容シート６とを備え周方向に隣接する収容部９同士が壁板７を収容したまま折り畳み可能な外周壁２と、その周縁が外周壁２の下端部に水密状態で接続された底部シート３と、外周壁２により形成される多角形の上端開口部を覆う平面シート状の覆い部２４と一側部が覆い部２４の外周２５に接続され他側部が外周壁２の上部外面２６に接続されるファスナー２７とを備え、外周壁２により形成される上端開口部を気密状態で覆いかつ開閉が可能なシート状の蓋体５と、覆い部２４または外周壁２に設けられた空気充填口とを備えているので、空気充填口から水を溜めた状態の蓋付き水槽１の内部に空気が充填されると、平面状の覆い部２４がドーム状に膨らみ、覆い部２４の外周２５が内側に引っ張られる。一端部が覆い部２４の外周２５に接続されたファスナー２７の他側部は、外周壁２の上部外面２６に接続されているので、外周壁２の上部外面２６から上側の部分が蓋体５に覆われた状態で内側に引っ張られ、壁板７は弾性変形して内側に円弧状に曲がる。蓋体５は、充填された空気の圧力に加えて壁板７から弾性力を受け、とくに覆い部２４の周縁部を効果的に張った状態とすることができる。これによって、覆い部２４の周縁部が弛んで雨水が溜まることを効果的に防止できる。すなわち覆い部２４はその中央部がドーム状になるとともに、その周縁部の弛みが防止されるため、雨水を覆い部２４の周縁部から、円弧状に曲がった外周壁２に沿って流下させることができる。
【００６１】
さらに、ファスナー２７の一側部は上部接続シート３１を介して覆い部２４の外周２５に接続されており、ファスナー２７の他側部は下部接続シート３４を介して外周壁２の上部外面２６に接続されているので、上部接続シート３１の幅寸法と、下部接続シート３４との幅寸法とを適当に選定して、ファスナー２７の取り付け位置と、外周壁２の上部外面２６に溶着される蓋体５の位置とを調整することができる。
【符号の説明】
【００６２】
１，５３，５４    蓋付き水槽
２，５１，５２    外周壁
３    底部シート
４    水槽本体部
５，５５，５６    蓋体
６    壁板収容シート
７    壁板
８    筒状部
９    収容部
１０    内面シート
１１    外面シート
１２    上面シート
１３    下面シート
１６    開口部
１７    仕切部
１８    溶着部
１９    補強シート
２２    一方の面ファスナー
２３    他方の面ファスナー
２４    覆い部
２５，３０    外周
２６    上部外面
２７    ファスナー
２８    辺
２９    平面シート
３１    上部接続シート
３４    下部接続シート
３７    排水ホース
３９    面ファスナー
４１    上部
４２    皺
５７    エアチューブ
５８    渡り
５９    エアマット
６０，６１    上端
６２，６３    底部シート
６４，６５    水面
６６    給気口
【図１】
2014210609.tif 000003
【図２】
2014210609.tif 000004
【図３】
2014210609.tif 000005
【図４】
2014210609.tif 000006
【図５】
2014210609.tif 000007
【図６】
2014210609.tif 000008
【図７】
2014210609.tif 000009
【図８】
2014210609.tif 000010
【図９】
2014210609.tif 000011